(57)【要約】【課題】ユーザが医療機関において支払うべき医療費の自己負担分を、ユーザが容易にクレジットカードで支払うことができるとともに、健康保険組合に請求する保険の適用分を、容易に健康保険組合に請求することができる認証装置、情報処理装置及び認証装置の認証方法を提供する。【解決手段】認証装置１は、ユーザが加入する健康保険に関する健保情報ＣＡ１と、ユーザの支払い口座に関する金融機関情報ＣＡ２とを取得する情報取得部１１０と、取得した健保情報ＣＡ１に基づいて、ユーザに関する医療費に対し、健康保険の適用が有効か否かを判定する判定部１２０と、  健康保険の適用が有効の場合には、ユーザに関する医療費に対し健康保険を適用し、そのユーザの自己負担分と、健康保険の適用分とに振り分ける振分部１３０と、を備える。【選択図】  図３
2019067019.tif 000002
【特許請求の範囲】
【請求項１】
ユーザが加入する健康保険に関する健保情報と、前記ユーザの支払い口座に関する金融機関情報とを取得する情報取得部と、
取得した前記健保情報に基づいて、前記ユーザに関する医療費に対し、健康保険の適用が有効か否かを判定する判定部と、
前記健康保険の適用が有効の場合には、前記ユーザに関する医療費に対し前記健康保険を適用し、当該ユーザの自己負担分と、前記健康保険の適用分とに振り分ける振分部と、
を備えることを特徴とする認証装置。
【請求項２】
前記自己負担分については、前記金融機関情報に基づいて、前記ユーザの支払い口座を管理する口座サーバに自己負担情報を送信し、前記保険の適用分については、前記健保情報に基づいて、前記健康保険を運営する健康保険組合の健保サーバに保険適用情報を送信する送信部を、
さらに備えることを特徴する請求項１に記載の認証装置。
【請求項３】
前記健保情報には、前記ユーザが被扶養者である旨が登録され、
前記金融機関情報には、前記ユーザの親又は結婚相手の支払い口座が登録されている
ことを特徴とする請求項１又は２に記載の認証装置。
【請求項４】
前記ユーザに関する医療費は、
少なくとも医療機関又は薬局の医療費である
ことを特徴とする請求項１乃至３の何れかに記載の認証装置。
【請求項５】
前記健保情報及び前記金融機関情報は、１枚の非接触型ＩＣカードに記憶されており、
前記情報取得部は、
前記非接触型ＩＣカードから、前記健保情報及び前記金融機関情報を取得する
ことを特徴とする請求項１乃至４の何れかに記載の認証装置。
【請求項６】
複数の健康保険組合に関する情報が格納された健保情報データベースをさらに備え、
前記判定部は、
取得した前記健保情報が、前記健保情報データベースに格納されている健康保険組合に関する情報と一致するか否か判定するとともに、前記ユーザの受給者資格を判定し、前記健康保険の適用が有効か否かを判定する
ことを特徴とする請求項１乃至５の何れかに記載の認証装置。
【請求項７】
ユーザが加入する健康保険に関する健保情報と、前記ユーザの支払い口座に関する金融機関情報とを取得する情報取得部と、
取得した前記健保情報に基づいて、前記ユーザに関する医療費に対し、健康保険の適用が有効か否かを判定する判定部と、
前記健康保険の適用が有効の場合には、前記ユーザに関する医療費に対し前記健康保険を適用し、当該ユーザの自己負担分と、前記健康保険の適用分とに振り分ける振分部と、
を備えることを特徴する情報処理装置。
【請求項８】
ユーザが加入する健康保険に関する健保情報と、前記ユーザの支払い口座に関する金融機関情報とを取得する情報取得ステップと、
取得した前記健保情報に基づいて、前記ユーザに関する医療費に対し、健康保険の適用が有効か否かを判定する判定ステップと、
前記健康保険の適用が有効の場合には、前記ユーザに関する医療費に対し前記健康保険を適用し、当該ユーザの自己負担分と、前記健康保険の適用分とに振り分ける振分ステップと、
を含むことを特徴する認証装置の認証方法。
【発明の詳細な説明】
【技術分野】
【０００１】
本発明は、認証装置、情報処理装置及び認証装置の認証方法に関する。
【背景技術】
【０００２】
通常、ユーザが医療機関を受診すると、受診料や検査料などの医療費が発生し、ユーザは、医療費が請求される。この場合、ユーザが健康保険組合に加入していれば、ユーザは、健康保険において規定された自己負担割合をその医療費に乗じた金額が、自己負担分として請求される。一方、医療費の自己負担分以外の医療費は、医療機関から健康保険組合に、別途、請求される。
【０００３】
ここで、例えば、ユーザが医療機関を受診した場合であって、健康保険組合により発行された健康保険証の有効性が、後日、医療機関において確認できない場合には、医療機関は、健康保険組合に医療費を請求することができないことがある。また、健康保険の適用に関し、医療機関におけるレセプトの誤りによりユーザに返戻が生じることもある。
【０００４】
そのため、医療機関は、健康保険組合に請求することのできない医療費が発生したり、レセプトの誤りに関し、健康保険証の確認のための事務処理負担が増加している。
【０００５】
ここで、医療機関における支払いにおいて、特許文献１に診察券を用いた医療費支払いシステムが提案されている。特許文献１に提案されている医療費支払いシステムは、支払機能を有する診察券として、クレジット会社と提携したクレジット方式の診察券又は銀行と提携したキャッシュカード方式の診察券などを用いて、医療費の支払いを行うようになっている（特許文献１参照）。
【先行技術文献】
【特許文献】
【０００６】
【特許文献１】特開２００６−２９３７５２号公報
【発明の概要】
【発明が解決しようとする課題】
【０００７】
現在、健康保険証が被保険者及び被扶養者に発行されており、医療のＩＴ（Information Technology）化を目指し、健康保険証のカード化が検討されている。ここで、例えば、健康保険証に、単にクレジットカード機能をそのまま付加して、そのカードを用いてカード決済した場合は、医療機関での自己負担分の医療費がクレジットカード会社を介して決済される。この場合、医療機関では、ユーザの自己負担分と健康保険の保険適用分とを夫々計算し、ユーザと健康保険組合とに、個別に医療費を請求することになる。しかしながら、健康保険の適用が有効でないことが判明した場合には、ユーザには医療費の全額を請求し、健康保険組合には保険適用分を返戻する必要が生じ得る。
【０００８】
本発明の目的は、ユーザが医療機関において支払うべき医療費の自己負担分を、ユーザがクレジットカードで容易に支払うことができるとともに、医療機関が健康保険組合に請求する健康保険の適用分を、容易に健康保険組合に請求することができる認証装置、情報処理装置及び認証装置の認証方法を提供することにある。
【課題を解決するための手段】
【０００９】
本発明に係る認証装置は、ユーザが加入する健康保険に関する健保情報と、前記ユーザの支払い口座に関する金融機関情報とを取得する情報取得部と、取得した前記健保情報に基づいて、前記ユーザに関する医療費に対し、健康保険の適用が有効か否かを判定する判定部と、前記健康保険の適用が有効の場合には、前記ユーザに関する医療費に対し前記健康保険を適用し、当該ユーザの自己負担分と、前記健康保険の適用分とに振り分ける振分部と、を備えることを特徴する。
【００１０】
本発明に係る情報処理装置は、ユーザが加入する健康保険に関する健保情報と、前記ユーザの支払い口座に関する金融機関情報とを取得する情報取得部と、取得した前記健保情報に基づいて、前記ユーザに関する医療費に対し、健康保険の適用が有効か否かを判定する判定部と、前記健康保険の適用が有効の場合には、前記ユーザに関する医療費に対し前記健康保険を適用し、当該ユーザの自己負担分と、前記健康保険の適用分とに振り分ける振分部と、を備えることを特徴する。
【００１１】
本発明に係る認証装置の認証方法は、ユーザが加入する健康保険に関する健保情報と、前記ユーザの支払い口座に関する金融機関情報とを取得する情報取得ステップと、取得した前記健保情報に基づいて、前記ユーザに関する医療費に対し、健康保険の適用が有効か否かを判定する判定ステップと、前記健康保険の適用が有効の場合には、前記ユーザに関する医療費に対し前記健康保険を適用し、当該ユーザの自己負担分と、前記健康保険の適用分とに振り分ける振分ステップと、を含むことを特徴する。
【発明の効果】
【００１２】
本発明によれば、認証装置、情報処理装置及び認証装置の認証方法は、ユーザが医療機関において支払うべき医療費の自己負担分を、ユーザがクレジットカードで容易に支払うことができるとともに、医療機関が健康保険組合に請求する健康保険の適用分を、容易に健康保険組合に請求することができる。
【図面の簡単な説明】
【００１３】
【図１】本発明の実施形態に係る認証装置１の概略の構成を示した説明図である。
【図２】本発明の実施形態に係る認証装置と、保険適用支払カードの回路構成を示した説明図である。
【図３】本発明の実施形態に係る認証装置のＣＰＵが、プログラムを実行することによって実現する各機能ブロックを示した機能ブロック図である。
【図４】本発明の実施形態に係る認証装置が、カードリーダ部に載置された保険適用支払カードＣＡに対し、クレジットカード機能のカード決済処理を示したフローチャートである。
【図５】本発明の実施形態に係る、健保情報と、金融機関情報とを示した説明図である。
【図６】本発明の実施形態に係る認証装置の健保情報データベースが格納する、健康保険組合に関する情報を示したものである。
【発明を実施するための形態】
【００１４】
以下、本発明の実施形態に係る認証装置１について、図面を用いて説明する。
【００１５】
（１）認証装置の全体構成
図１は、本発明の実施形態に係る認証装置１の概略の構成を示した説明図である。図１では、本発明の実施形態に係る認証装置１において、健康保険証にクレジットカード機能を付加した非接触型ＩＣカード（Integrated Circuit）ＣＡにより、カード決済を行う概念を示している。
【００１６】
本発明の実施形態に係る認証装置１は、特殊な保険適用支払カード機能を備える非接触型ＩＣカードＣＡと認証を行うようになっている。この保険適用支払カード機能を備える１枚の非接触型ＩＣカードＣＡは、ユーザが加入する健康保険に関する健保情報ＣＡ１と、ユーザの支払い口座に関する金融機関情報ＣＡ２を、後述するメモリ（記憶部）に記憶している。
【００１７】
認証装置１は、この保険適用カード機能を備える非接触型ＩＣカードＣＡの健康保険に関する健保情報ＣＡ１が、ユーザに関する医療費に対し、健康保険の適用が有効か否かを判定し、健康保険の適用が有効と判定した場合には、ユーザに関する費用に対し健康保険を適用し、ユーザの自己負担分と、健康保険の適用分とに振り分ける。
【００１８】
これにより、認証装置１は、自己負担分については、ユーザのクレジットカードの支払い口座を管理する口座サーバ９ａによりカード決済を行うとともに、健康保険の適用分については、健康保険を運営する健康保険組合の健保サーバ９ｂに医療費を請求する。
【００１９】
なお、以下の説明においては、この保険適用カード機能を備える非接触型ＩＣカードＣＡを一般的な非接触型ＩＣカードと区別し、保険適用支払カードＣＡということにする。
【００２０】
認証装置１は、病院、医療検査機関、薬局など健康保険証を提示する機会のある施設に設けられ、支払の際におけるクレジットカード機能のカード決済により、医療費の支払を行う装置である。なお、図１において、認証装置１は、紙面に対して奥方向を認証装置１の奥側とし、紙面に対して手前方向を認証装置１の手前側とする。
【００２１】
図１に示すように、認証装置１は、長方形状の筐体２を備えており、筐体２の奥側の上面には、横幅が幅広のカードリーダ部３が設けられている。筐体２のカードリーダ部３の手前側には、利用者であるユーザに対し、各種のメッセージを表示する表示部４と、ユーザの「ＹＥＳ」か「ＮＯ」の意思決定を受け付ける操作部５が設けられている。
【００２２】
カードリーダ部３は、筐体２のカードリーダ部３の上面に載置された保険適用支払カードＣＡとの間で、無線を介した非接触データ通信を行う。カードリーダ部３は、保険適用支払カードＣＡを検知すると、保険適用支払カードＣＡから、健保情報ＣＡ１と金融機関情報ＣＡ２とを取得すべく、カード検出信号を供給する。
【００２３】
保険適用支払カードＣＡの健保情報ＣＡ１には、ユーザが被扶養者であって、ユーザが加入する健康保険に関する情報が記憶されている。また、保険適用支払カードＣＡの金融機関情報ＣＡ２には、ユーザの支払い口座に関する情報が記憶されている。図５を用いて後述するが、金融機関情報ＣＡ２には、ユーザが医療費を支払うクレジットカードの口座情報が記憶されている。なお、健保情報ＣＡ１と金融機関情報ＣＡ２とについては、後述する図５において詳述するものとし、以下の説明においては、金融機関情報ＣＡ２において、クレジットカード機能のカード決済として、ユーザの父親の口座名義「Ｓ」を適用する場合について、説明する。
【００２４】
本発明の実施形態に係る認証装置１は、カードリーダ部３（図１）に載置された１枚の保険適用支払カードＣＡから、ユーザが加入する健康保険に関する健保情報ＣＡ１と、ユーザの支払い口座に関する金融機関情報ＣＡ２とを読み出して取得する。認証装置１は、健保情報ＣＡ１と金融機関情報ＣＡ２とを取得し、取得した健保情報ＣＡ１に基づいて、ユーザに関する医療費に対し、健康保険の適用が有効か否かを判定する。
【００２５】
そして、取得した健保情報ＣＡ１により、健康保険の適用が有効の場合には、認証装置１は、ユーザに関する医療費に対し健康保険を適用し、そのユーザの自己負担分と、健康保険の適用分とに振り分ける。認証装置１は、自己負担分については、金融機関情報ＣＡ２に基づいて、ユーザの支払い口座を管理する口座サーバ９ａに個人負担情報を送信し、クレジットカード決済を行う。また、認証装置１は、保険適用分については、健保情報ＣＡ１に基づいて、健康保険を運営する健康保険組合の健保サーバ９ｂに保険適用情報を送信し、医療費を請求する。
【００２６】
なお、本発明の実施形態では、認証装置１は、保険適用支払カードＣＡから取得した、ユーザが加入する健康保険に関する健保情報ＣＡ１により、ユーザに関する医療費に対し健康保険の適用が有効か否かを判定し、健康保険の適用が有効でない場合、クレジットカード決済ができないようになっている。また、この場合、ユーザに関する医療費に対し、健康保険の適用分も振り分けられないようになっている。
【００２７】
従って、認証装置１は、カードリーダ部３に保険適用支払カードＣＡが載置され、健保情報ＣＡ１と金融機関情報ＣＡ２とが取得でき、取得した健保情報ＣＡ１が有効の場合のみ、ユーザの診療に関する医療費に対して健康保険を適用し、ユーザの個人負担分と健康保険の保険適用分とを振り分け、カード決済を行うことができる。
【００２８】
（２）認証装置１及び保険適用支払カードＣＡの回路構成
本発明の実施形態に係る認証装置１は、図２に示すように、ＣＰＵ（Central Processing Unit）１０、ＲＯＭ（Read Only Memory）１１、ＲＡＭ（Random Access Memory）１２、カードリーダ部３、表示部４、操作部５、健保情報データベース７、及びネットワークＩ／Ｆ部１３を備えている。
【００２９】
ＣＰＵ１０は、ＲＯＭに格納されている基本プログラムや認証プログラムを読み出し、実行することにより、プログラムに対応する機能を実現するプロセッサである。具体的には、ＣＰＵ１０（プロセッサ）は、読み出したプログラムを実行することによって、図３に示す、情報取得部１１０、判定部１２０、振分部１３０及び送信部１４０を実現する。
【００３０】
図３に示すように、認証装置１のＣＰＵ１０の情報取得部１１０は、ユーザが加入する健康保険に関する健保情報ＣＡ１と、ユーザの支払い口座に関する金融機関情報ＣＡ２とを取得する。ＣＰＵ１０の判定部１２０は、取得した健保情報ＣＡ１に基づいて、ユーザに関する医療費に対し、健康保険の適用が有効か否かを判定する。ＣＰＵ１０の振分部１３０は、健康保険の適用が有効の場合には、ユーザに関する医療費に対し健康保険を適用し、ユーザの自己負担分と、健康保険の適用分とに振り分ける。ＣＰＵ１０の送信部１４０は、自己負担分については、金融機関情報ＣＡ２に基づいて、ユーザの支払い口座を管理する口座サーバ９ａに自己負担情報を送信し、保険適用分については、健保情報ＣＡ１に基づいて、健康保険を運営する健康保険組合の健保サーバ９ｂに保険適用情報を送信する。
【００３１】
健保情報データベース７は、複数の健康保険組合に関する情報を格納している。健保情報データベース７は、例えば、ＲＯＭ、ＲＡＭ及びＨＤＤ等を含む記憶装置によって構成される。健保情報データベース７が、複数の健康保険組合に関する情報を格納していることにより、ＣＰＵ１０の判定部１２０は、取得した健保情報が、健保情報データベース７に格納されている健康保険組合に関する情報と一致するか否か判定することができる。また、ＣＰＵ１０の判定部１２０は、ユーザの受給者資格も判定して、健康保険の適用が有効か否かを判定することができる。
【００３２】
また、ＣＰＵ１０（図２参照）は、認証装置１の全体を統括的制御するように、内部バス１４（図２参照）を介して接続されており、ＲＡＭ１２は、プログラムのロード領域及びプログラム処理におけるワーク領域として用いられる。
【００３３】
ネットワークＩ／Ｆ部１３は、外部機器であるクレジット会社の支払い口座を管理する口座サーバ９ａ及び健康保険を運営する健康保険組合の健保サーバ９ｂに、ネットワーク８（図１参照）を介して、データ通信を行う。
【００３４】
カードリーダ部３（図２参照）は、ＣＰＵ１０の制御に動作し、載置された保険適用支払カードＣＡとの間で、無線を介した非接触によりデータ通信を行う。カードリーダ部３は、読み取り部に保険適用支払カードＣＡが載置されたことを検知すると、カード検出信号をＣＰＵ１０に供給する。ＣＰＵ１０は、カード検出信号を受け取ると、保険適用支払カードＣＡに対し、健保情報読み出し要求を送信する。
【００３５】
本発明の実施形態に係る保険適用支払カードＣＡは、図２に示すように、ＣＰＵ２０、ＲＯＭ２１、ＲＡＭ２２、ＥＥＰＲＯＭ（Electrically Erasable Programmable ROM）２３、アンテナ２４、及びＲＦＩ／Ｆ部２５を備えている。
【００３６】
ＣＰＵ２０は、保険適用支払カードＣＡの全体の統括制御を行うようになっており、内部バス２６を介して、各要素が接続されている。
【００３７】
ＲＯＭ２１は、ＣＰＵ２０が実行するプログラムを格納している。ＲＡＭ２２は、プログラムのロード領域及びプログラム処理におけるワーク領域として用いられる。
【００３８】
ＥＥＰＲＯＭ２３は、ユーザが加入する健康保険に関する健保情報ＣＡ１と、ユーザの支払い口座に関する金融機関情報ＣＡ２とを記憶している。
【００３９】
保険適用支払カードＣＡのＣＰＵ２０は、認証装置１のＣＰＵ１０から健保情報読み出し要求を受信すると、健保情報ＣＡ１と、金融機関情報ＣＡ２とをＥＥＰＲＯＭ２３から読み出し、無線通信を行うＲＦＩ／Ｆ部２５及びアンテナ２４を介して、認証装置１のカードリーダ部３に送信する。
【００４０】
本発明の実施形態では、このような構成により、認証装置１のＣＰＵ１０が保険適用支払カードＣＡに対し、健保情報読み出し要求を送信し、保険適用支払カードＣＡのＣＰＵ２０が認証装置１に対し、健保情報ＣＡ１及び金融機関情報ＣＡ２を送信する。そして、認証装置１は、健保情報ＣＡ１と金融機関情報ＣＡ２とを取得して、ＲＡＭ１２に格納する。これにより、認証装置１のＣＰＵ１０は、健康保険証に付加されたクレジットカード機能のカード決済処理を開始するようになっている。
【００４１】
（３）カード決済処理
次に、本発明の実施形態に係る認証装置１が、保険適用支払カードＣＡに対して、健康保険証のクレジットカード機能でカード決済を行うカード決済処理について、図４に示すフローチャートを用いて説明する。
【００４２】
図４は、本発明の実施形態に係る認証装置１が、カードリーダ部３に載置された保険適用支払カードＣＡに対し、クレジットカード機能のカード決済処理を示したフローチャートである。なお、カードリーダ部３に載置された非接触型ＩＣカードが、保険適用支払カードＣＡでない場合は、カード決済処理ができないようになっている。
【００４３】
まず、ユーザは、健保情報ＣＡ１に基づく医療費を決済するため、保険適用支払カードＣＡを認証装置１のカードリーダ部３に載置する。認証装置１のカードリーダ部３は、保険適用支払カードＣＡが載置されたことを検知し、認証装置１のＣＰＵ１０が、保険適用支払カードＣＡに対し、健保情報読み出し要求を行う。これにより、認証装置１のＣＰＵ１０の情報取得部１１０は、ユーザが加入する健康保険に関する健保情報ＣＡ１と、ユーザの支払い口座に関する金融機関情報ＣＡ２とを保険適用支払カードＣＡから取得して、ＲＡＭ１２に格納する（ステップＳ００１）。
【００４４】
図５は、本発明の実施形態に係る、健保情報ＣＡ１と、金融機関情報ＣＡ２とを示した説明図である。図５（ａ）は、健保情報ＣＡ１としてユーザが加入する健康保険に関する情報を示しており、図５（ｂ）は、金融機関情報ＣＡ２としてクレジットカードの支払い口座の情報を示している。
【００４５】
健保情報ＣＡ１では、図５（ａ）に示すように、「Ｐ健康保険組合の健康保険証情報」を示している。具体的には、ユーザの「Ａ」は、「Ｐ健康保険組合」の被扶養者であり、被保険者は「Ｓ」である旨が記載されている。また、扶養者の「Ａ」と「Ｓ」との関係は、「Ｓ」が「Ａ」の父親であることが記載されている。
【００４６】
一方、金融機関情報ＣＡ２では、図５（ｂ）に示すように、クレジットカードの支払情報を示している。具体的には、クレジットカードの使用者は、ユーザの「Ａ」が記載されている。また、ユーザ「Ａ」の医療費を支払うための口座名義は、父親の「Ｓ」が記載されている。クレジットカードの口座番号は、「０１２３４５６７」と記載されており、また、クレジットカードの有効期限は、「２０２０年８月」までの記載がされている。さらに、医療費を支払う対象は、「Ｘ病院の医療費」と記載されている。
【００４７】
なお、金融機関情報ＣＡ２における医療費を支払う対象の「Ｘ病院の医療費」については、任意の構成要素であり、本発明の他の実施形態において説明する。
【００４８】
次に、認証装置１のＣＰＵ１０の判定部１２０は、取得した健保情報ＣＡ１に基づいて、ユーザに関する医療費に対し、健康保険の適用が有効か否かを判定する。
【００４９】
図６は、本発明の実施形態に係る認証装置１の健保情報データベース７が格納する、健康保険組合に関する情報を示したものである。健保情報データベース７には、複数の健康保険組合名が登録されている。また、健保情報データベース７では、健康保険の適用可能な健康保険組合名には、医療費の支払いが可能である旨を示す「○」が付されている。具体的には、「Ｏ健康保険組合」、「Ｐ健康保険組合」、「Ｑ健康保険組合」、「Ｒ健康保険組合」などが登録されており、何れの健康保険組合も医療費の支払いが可能である旨を示す「○」が付されている。なお、例えば、健康保険組合の設立中やカード決済の運用の検討中などの理由によりクレジットカードによる医療費の支払いができない健康保険組合には、「×」が付されるようになっている。
【００５０】
ＣＰＵ１０の判定部１２０は、ＲＡＭ１２から、健保情報ＣＡ１を読み出すとともに、健保情報データベース７に格納されている健康保険組合名を読み出し、健保情報ＣＡ１の健康保険組合名が、健保情報データベース７から読み出した健康保険組合と一致するか否か判定する。また同時に、ＣＰＵ１０の判定部１２０は、ユーザの受給者資格を判定し、保険の適用が有効か否かを判定する（図４のステップＳ００３）。
【００５１】
ユーザの受給者資格の判定は、例えば、保険料の支払いが適切になされているか、年齢制限の上限に該当しないか、又は事業者は適当か、などを判定する。そして、ＣＰＵ１０の判定部１２０は、健康保険組合名が一致するとともに、ユーザが受給者資格も満たしていると判定した場合（ステップＳ００３のＹ）、健康保険の適用が有効と判定し、ＣＰＵ１０の振分部１３０は、ユーザに関する医療費に対し健康保険を適用し、ユーザの自己負担分と、健康保険の適用分とに振り分けて、載置された保険適用支払カードＣＡで医療費の支払いがＯＫである旨の通知を行う（ステップＳ００５）。
【００５２】
例えば、表示部４に「Ｐ健康保険組合の健康保険証が確認できました。ユーザの医療費の合計は、５万円であって、そのうち自己負担分は１万円となります。この登録されているクレジットカードから医療費を支払いますか？」等の表示を行い、操作部５において、「ＹＥＳ」または「ＮＯ」の決済承認の入力を受け付ける（ステップＳ００７）。
【００５３】
そして、認証装置１のＣＰＵ１０の送信部１４０は、操作部５において、保険適用支払カードＣＡでユーザの自己負担分の医療費を支払う旨の「ＹＥＳ」の入力を受け付けると（ステップＳ００７のＹ）、自己負担分については、金融機関情報ＣＡ２に基づいて、ユーザの支払い口座を管理する口座サーバ９ａに自己負担情報を送信すると共に、保険適用分については、健保情報ＣＡ１に基づいて、健康保険を運営する健康保険組合の健保サーバ９ｂに保険適用情報を送信し、クレジットカード機能によりカード決済を完了する（ステップＳ００９）。
【００５４】
例えば、図５（ｂ）の場合には、ＣＰＵ１０の送信部１４０が、金融機関情報ＣＡ２に基づいて、カードの使用者であるユーザ「Ａ」とは異なる「Ｓ」の口座名義に、１万円の自己負担分の請求を示す自己負担情報を口座サーバ９ａに送信する。また、保険適用分は、ユーザの医療費の合計５万円のうち、４万円となるため、ＣＰＵ１０の送信部１４０は、健保情報ＣＡ１に基づいて、Ｐ健康保険組合の健保サーバ９ｂにこの健康保険の適用分の４万円を請求する保険適用情報を送信する。
【００５５】
そして、本発明の実施形態では、認証装置１は、ＣＰＵ１０の送信部１４０が自己負担情報と保険適用情報とを送信すると、クレジットカード機能によるカード決済が完了し（ステップＳ００９）、カード決済処理を終了する。
【００５６】
一方、図４のステップＳ００３において、健保情報ＣＡ１の健康保険組合名と健保情報データベース７の健康保険組合名とが一致しない場合や、ユーザが受給者資格を満たしていない場合には（ステップＳ００３のＮ）、保険適用支払カードＣＡの健康保険の適用が有効でないため、この保険適用支払カードＣＡによるカード決済は不可と判定する。
【００５７】
この場合、ＣＰＵ１０の判定部１２０は、表示部４に「現在載置されている保険適用支払カードＣＡではカード決済を行うことができないため、カードリーダ部３に載置されている保険適用支払カードＣＡを、他の保険適用支払カードＣＡに取り換えて、再度、読み取りを行いますか？」などの旨の表示がなされ（ステップＳ０１１）、操作部５において、「ＹＥＳ」、「ＮＯ」が入力されるまで待ち受ける。
【００５８】
そして、操作部５において「ＹＥＳ」が入力され、再度、他の保険適用支払カードＣＡから読み取りを行う場合（ステップＳ０１１のＹ）、ユーザは、保険適用支払カードＣＡを他の保険適用支払カードＣＡに取り換える。この場合、ＣＰＵ１０の情報取得部１１０は、ユーザが加入する健康保険に関する健保情報ＣＡ１と、ユーザの支払い口座に関する金融機関情報ＣＡ２とを、他の保険適用支払カードＣＡから取得して、上述したステップＳ００１からやり直す。
【００５９】
これに対し、ステップＳ０１１において、他の保険適用支払カードＣＡにより、再度の読み取りを行わない場合や（ステップＳ０１１のＮ）、またはステップＳ００７において、この保険適用支払カードＣＡではユーザの医療費の自己負担分を支払わないことを示す「ＮＯ」の入力を受け付けた場合（ステップＳ００７のＮ）、ＣＰＵ１０の判定部１２０は、カード決済を中止して（ステップＳ０１３）、カード決済処理を終了する。
【００６０】
以上説明したように、本発明の実施形態に係る認証装置１は、ＣＰＵ１０の情報取得部１１０が、ユーザが加入する健康保険に関する健保情報ＣＡ１と、ユーザの支払い口座に関する金融機関情報ＣＡ２とを取得し、ＣＰＵ１０の判定部１２０は、取得した健保情報ＣＡ１に基づいて、ユーザに関する医療費に対し、健康保険の適用が有効か否かを判定する。そして、ＣＰＵ１０の振分部１３０は、健康保険の適用が有効の場合には、ユーザに関する医療費に対し健康保険を適用し、ユーザの個人負担分と、健康保険の適用分とに振り分けることができる。
【００６１】
このため、ＣＰＵ１０の送信部１４０は、自己負担分については、金融機関情報ＣＡ２に基づいて、ユーザの口座を管理する口座サーバ９ａに自己負担情報を送信し、保険適用分については、健保情報ＣＡ１に基づいて、健康保険を運営する健康保険組合の健保サーバ９ｂに保険適用情報を送信することができる。
【００６２】
このように、本発明の実施形態に係る認証装置１は、ユーザが医療機関において支払うべき医療費の自己負担分を、ユーザがクレジットカードで容易に支払うことができるとともに、健康保険組合に請求する健康保険の適用分を、容易に健康保険組合に請求することができる。
【００６３】
従って、例えば、ユーザが子供の場合、親が子供に保険適用支払カードＣＡを渡すだけで、子供に高額な治療費・調剤薬費を渡す必要もなく、親の口座名義において安全にカード決済をすることができる。この場合、健保情報ＣＡ１には、ユーザが被扶養者である旨が登録されており、金融機関情報ＣＡ２には、ユーザの親又は結婚相手の支払い口座が登録されていることにより、実現することができる。
【００６４】
以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
例えば、本発明の実施形態では、「Ｐ健康保険組合」に関する医療費に対して適用するようになっていた。本発明の実施形態は、さらに、ユーザに関する医療費を、ユーザが診療を受ける医療機関や薬局の医療費に限定するようにしてもよい。例えば、ユーザが定期的に通院している場合や数か月に渡って入院する場合に、図５（ｂ）の金融機関情報ＣＡ２において、クレジットカードの支払い対象を医療機関又は薬局（例えば、Ｘ病院の医療費）であることを登録することにより、支払いの利便性を向上させることができる。
【００６６】
また、例えば、本発明の実施形態では、健康保険証のカードにクレジットカード機能を適用した場合を示したが、この他に銀行のキャッシュカード機能を健康保険証のカードに適用するようにしてもよい。この場合、例えば、デビットカードと同様な即時決済可能な機能を備えることもできる。
【００６７】
なお、一般的には、クレジットカードの対象年齢が、１８歳以上となっているのに対し、キャッシュカードやデビットカードの対象年齢は、１６歳以上となっていることが多い。そのため、ユーザの年齢に応じて、クレジットカード機能か、キャッシュカード機能かを選択して支払することができる、２つの支払機能を健康保険証のカードに設けるようにしても良い。さらに、ユーザの年齢を問わない電子マネーによる決済機能を、健康保険証に備えるようにしても良い。
【００６８】
この場合、非接触型ＩＣカードＣＡは、事前購入（チャージ）した電子マネーを利用して、電子マネー決済で医療費の支払いに充当することができる。電子マネー決済を利用する場合は、ユーザの年齢に制限されないだけでなく、カードにチャージされている金額から支払うことができるため、チャージした金額により自己負担分の上限を設定することができる。なお、電子マネー決済の実現方法は、認証装置１を情報処理装置で実現し、その情報処理装置に電子マネー決済の機能を搭載することにより、ユーザの自己負担分の医療費を電子マネーで決済することができる。
【００６９】
この場合、例えば、情報処理装置により構成される認証装置１は、ＣＰＵ１０の情報取得部１１０、判定部１２０、振分部１３０及び送信部１４０の機能を設けることができるので、電子マネーで決済する機能と認証装置１の機能を備える情報処理装置により、容易に電子マネー決済を実現することができる。
【００７０】
また、本発明の実施形態では、これに限定されるものではなく、例えば、ユーザ「Ａ」の両親が共働きであって、扶養主を父親「Ｓ」とし、ユーザ「Ａ」の医療費の口座名義については、父親「Ｓ」とは別人物である母親の口座名義を登録することができる。これにより、ユーザ「Ａ」の医療費は、父親とは異なる母親の口座名義で管理することができるため、ユーザの医療費の管理の利便性を高めることができる。
【００７１】
また、ユーザ「Ａ」は、父親「Ｓ」を扶養主とする被扶養者であればよく、「Ｓ」を「父親」とする「子供」に限定されるものではなく、例えば、「Ｓ」を「主人」とする「妻」であってもよい。この場合、ユーザ「Ａ」が「妻」の場合でも、「妻」の医療費を、扶養主であって主人である「Ｓ」が、代わりに支払うことができる。
【符号の説明】
【００７２】
１        認証装置                    ２        筐体
３        カードリーダ部              ４        表示部
５        操作部                      ６        ガイド溝
７        健保情報データベース        ８        ネットワーク
９ａ      口座サーバ                  ９ｂ      健保サーバ
１０      ＣＰＵ
１２      ＲＡＭ                    １３        ネットワークＩ／Ｆ部
１４      内部バス                  ２０        ＣＰＵ
２１      ＲＯＭ                    ２２        ＲＡＭ
２３      ＥＥＰＲＯＭ              ２４        アンテナ
２５      ＲＦＩ／Ｆ部              ２６        内部バス
１１０    情報取得部              １２０        判定部
１３０    振分部                  １４０        送信部
ＣＡ      非接触型ＩＣカード      ＣＡ１        健保情報
ＣＡ２    金融機関情報      
【図１】
2019067019.tif 000003
【図２】
2019067019.tif 000004
【図３】
2019067019.tif 000005
【図４】
2019067019.tif 000006
【図５】
2019067019.tif 000007
【図６】
2019067019.tif 000008